(57)【要約】  接続基地局と、当該接続基地局に対する干渉信号を送信する干渉ユーザ装置が接続される干渉基地局とを含む無線通信システムにおいて実行される上りリンク干渉低減方法において、前記干渉基地局が、前記接続基地局において前記干渉信号を低減するために利用される制御情報を前記接続基地局に送信する制御情報送信ステップと、前記接続基地局が、前記制御情報を利用して前記干渉信号を低減し、前記接続基地局に接続されるユーザ装置から送信される所望信号を取得する干渉低減ステップとを備える。
2016088719.tif 000002
【特許請求の範囲】
【請求項１】
接続基地局と、当該接続基地局に対する干渉信号を送信する干渉ユーザ装置が接続される干渉基地局とを含む無線通信システムにおいて実行される上りリンク干渉低減方法であって、
前記干渉基地局が、前記接続基地局において前記干渉信号を低減するために利用される制御情報を前記接続基地局に送信する制御情報送信ステップと、
前記接続基地局が、前記制御情報を利用して前記干渉信号を低減し、前記接続基地局に接続されるユーザ装置から送信される所望信号を取得する干渉低減ステップと
を備える上りリンク干渉低減方法。
【請求項２】
前記制御情報送信ステップにおいて、前記干渉基地局は、一部の制御情報をセミスタティックに前記接続基地局に送信し、残りの制御情報をダイナミックに前記接続基地局に送信する
請求項１に記載の上りリンク干渉低減方法。
【請求項３】
前記制御情報送信ステップにおいて、前記干渉基地局は、一部の制御情報をセミスタティックに前記接続基地局に送信し、
前記干渉低減ステップにおいて、前記接続基地局は、残りの制御情報を推定し、前記一部の制御情報と当該残りの制御情報とを利用して前記干渉信号を低減する
請求項１に記載の上りリンク干渉低減方法。
【請求項４】
前記制御情報送信ステップにおいて、前記干渉基地局は、複数の干渉ユーザ装置に関する制御情報のセットを前記接続基地局に送信し、その後に、当該複数の干渉ユーザ装置のうち、実際に上りリンク送信のリソース割り当てが行われた干渉ユーザ装置の情報を前記接続基地局に送信する
請求項１ないし３のうちいずれか１項に記載の上りリンク干渉低減方法。
【請求項５】
前記制御情報送信ステップにおいて、前記干渉基地局及びその他の干渉基地局を含む複数の干渉基地局はそれぞれ、制御情報を前記接続基地局に送信し、その後に、当該複数の干渉基地局はそれぞれ、前記接続基地局に対する上りリンクの干渉が発生するか否かを示す情報を前記接続基地局に送信する
請求項１ないし３のうちいずれか１項に記載の上りリンク干渉低減方法。
【請求項６】
前記制御情報は、干渉信号のチャネル推定に使用する情報として、復調用参照信号の系列情報を含む
請求項１ないし５のうちいずれか１項に記載の上りリンク干渉低減方法。
【請求項７】
前記干渉低減ステップにおいて、前記接続基地局が逐次干渉キャンセルを実行する場合に、前記制御情報は更に前記干渉信号の復調のために必要な情報を含む
請求項６に記載の上りリンク干渉低減方法。
【請求項８】
前記干渉信号が、ＰＵＳＣＨで送信される信号である場合に、前記制御情報送信ステップにおいて前記干渉基地局から前記接続基地局に送信される制御情報には、ＵＣＩがＰＵＳＣＨに多重されているか否かを示す情報が含まれる
請求項１ないし７のうちいずれか１項に記載の上りリンク干渉低減方法。
【請求項９】
接続基地局と、当該接続基地局に対する干渉信号を送信する干渉ユーザ装置が接続される干渉基地局とを含む無線通信システムにおいて前記接続基地局として使用される基地局であって、
前記干渉基地局から、前記接続基地局において干渉信号を低減するために利用される制御情報を受信する制御情報受信部と、
前記制御情報を利用して、前記干渉信号を低減し、前記接続基地局に接続されるユーザ装置から送信される所望信号を取得する干渉低減処理部と
を備える基地局。
【発明の詳細な説明】
【技術分野】
【０００１】
本発明は、無線通信システムにおいて、上りリンクの干渉低減処理を行う技術に関連するものである。
【背景技術】
【０００２】
ＬＴＥ（Ｌｏｎｇ  Ｔｅｒｍ  Ｅｖｏｌｕｔｉｏｎ）等の無線通信システムにおいては、基地局（ｅＮＢ）がセルを形成し、ユーザ装置（ＵＥ）が当該セルに在圏して通信を行う。【０００３】
ここで、図１に示すように、基地局１（接続基地局１と呼ぶ）と基地局２（干渉基地局２と呼ぶ）が隣接しており、ユーザ装置１０（接続ユーザ装置１０と呼ぶ）が接続基地局１のセルに在圏し、ユーザ装置ＵＥ１１（干渉ユーザ装置１１と呼ぶ）が干渉基地局２のセル（干渉セル）に在圏し、干渉ユーザ装置１１が接続セルと干渉セルの境界付近に位置している状況を考える。【０００４】
この場合、接続基地局１が干渉ユーザ装置１１から受信する上り信号は、接続基地局１における上りリンクの干渉信号となる。このような干渉信号は、上りリンクにおけるユーザスループットの低下に繋がるものである。
【先行技術文献】
【非特許文献】
【０００５】
【非特許文献１】Axnas J. et. al.,"Successive Interference Cancellation Techniques for LTE Downlink," PIMRC 2011.
【非特許文献２】3GPP TS36.211 V8.8.0
【非特許文献３】3GPP TS36.212 V8.8.0
【発明の概要】
【発明が解決しようとする課題】
【０００６】
上りリンクにおけるユーザスループットの改善のためには、接続基地局１にて干渉ユーザ装置１１からの干渉信号を低減することが重要である。【０００７】
干渉信号と所望信号を含む受信信号から、所望信号を分離し、取得するための技術の１つとして、干渉抑圧合成（ＩＲＣ：Ｉｎｔｅｒｆｅｒｅｎｃｅ  Ｒｅｊｅｃｔｉｏｎ  Ｃｏｍｂｉｎｉｎｇ）と呼ばれる技術がある。干渉抑圧合成（ＩＲＣ）は、干渉信号のチャネルを推定し、各受信アンテナで得られる信号に重み付け（ＭＭＳＥ規範受信ウェイト）を与える技術である。ＩＲＣには、このようにＭＭＳＥ規範受信ウェイトを生成するタイプ１の他、干渉信号の相関情報を所望信号のパイロットから推定するタイプ２がある。タイプ１のほうが干渉抑圧能力が高いが、タイプ１では、干渉信号のチャネル推定が必要である。【０００８】
ＩＲＣの他、干渉信号と所望信号を含む受信信号から、所望信号を分離するための技術として逐次干渉キャンセル（ＳＩＣ：  Ｓｕｃｃｅｓｓｉｖｅ  Ｉｎｔｅｒｆｅｒｅｎｃｅ  Ｃａｎｃｅｌｌａｔｉｏｎ）の技術がある（例えば非特許文献１参照）。【０００９】
逐次干渉キャンセルは、受信信号から干渉信号の硬判定もしくは軟判定によるレプリカ信号を作成し、受信信号からレプリカ信号を逐次的に減算（除去）することにより、所望信号を抽出する技術である。ＳＩＣでは、複数の干渉信号毎に、干渉信号のチャネル推定を行い、当該チャネル推定に基づき干渉信号の復調を行って、干渉信号のレプリカを作成し、逐次受信信号から減算する。【００１０】
更に、干渉低減を行う技術の他の例として、最尤（ＭＬ：Ｍａｘｉｍｕｍ  Ｌｉｋｅｌｉｈｏｏｄ）推定技術がある。最尤推定では、ユーザ装置における最尤判定検出器（ＭＬＤ：Ｍａｘｉｍｕｍ  Ｌｉｋｅｌｉｈｏｏｄ  Ｄｅｔｅｃｔｏｒ）が、所望信号と干渉信号に対してチャネル推定を行い、それらを同時に抽出（同時検出）する。同時検出を行うため、ＭＬＤは、所望信号と干渉信号の全ての信号点の組み合わせについて、その尤度を計算し、最も尤度が高い信号点の組を各基地局から送信された信号とする。最尤推定では、ある信号点の組から期待される受信信号と、実際の受信信号間のユークリッド距離を計算し、全ての信号点の組のうち、実際の受信信号から最も距離が近い(=最も尤度が高い)ものを送信信号とする。このように、最尤推定技術を用いることによっても、干渉信号の抑圧を行うことができる。【００１１】
接続基地局１において、上述したような干渉低減技術を使用して、干渉セルの干渉ユーザ装置１１から到来する干渉信号の干渉低減処理を実行するためには、上りリンクの干渉信号のチャネル推定等を行う必要がある。しかし、接続基地局１は干渉セル側での制御情報を知ることができないため、干渉信号のチャネル推定等を行うことができず、適切に上りリンクの干渉低減処理を行うことができないという問題がある。【００１２】
本発明は上記の点に鑑みてなされたものであり、無線通信システムにおける基地局が、干渉セルのユーザ装置から送信される干渉信号に対する干渉低減処理を適切に行うことを可能とする技術を提供することを目的とする。
【課題を解決するための手段】
【００１３】
本発明の実施の形態によれば、接続基地局と、当該接続基地局に対する干渉信号を送信する干渉ユーザ装置が接続される干渉基地局とを含む無線通信システムにおいて実行される上りリンク干渉低減方法であって、
前記干渉基地局が、前記接続基地局において前記干渉信号を低減するために利用される制御情報を前記接続基地局に送信する制御情報送信ステップと、
前記接続基地局が、前記制御情報を利用して前記干渉信号を低減し、前記接続基地局に接続されるユーザ装置から送信される所望信号を取得する干渉低減ステップとを備える上りリンク干渉低減方法が提供される。【００１４】
また、本発明の実施の形態によれば、接続基地局と、当該接続基地局に対する干渉信号を送信する干渉ユーザ装置が接続される干渉基地局とを含む無線通信システムにおいて前記接続基地局として使用される基地局であって、
前記干渉基地局から、前記接続基地局において干渉信号を低減するために利用される制御情報を受信する制御情報受信部と、
前記制御情報を利用して、前記干渉信号を低減し、前記接続基地局に接続されるユーザ装置から送信される所望信号を取得する干渉低減処理部とを備える基地局が提供される。
【発明の効果】
【００１５】
本発明の実施の形態によれば、無線通信システムにおける基地局が、干渉セルのユーザ装置から送信される干渉信号に対する干渉低減処理を適切に行うことが可能となる。
【図面の簡単な説明】
【００１６】
【図１】上りリンクの干渉を説明するための図である。
【図２】本発明の実施の形態における無線通信システムの概要構成図である。
【図３】ＳＩＣの受信器の構成例を示す図である。
【図４】ＰＵＳＣＨを説明するための図である。
【図５】ＤＭＲＳを説明するための図である。
【図６Ａ】ＤＭＲＳを説明するための図である
【図６Ｂ】ＤＭＲＳを説明するための図である
【図７】ＤＭＲＳのグループホッピングを説明するための図である。
【図８】ＰＵＳＣＨの手順を説明するための図である。
【図９】ＵＣＩが多重されたＰＵＳＣＨを示す図である。
【図１０Ａ】ＰＵＳＣＨにおける周波数ホッピングを説明するための図である。
【図１０Ｂ】ＰＵＳＣＨにおける周波数ホッピングを説明するための図である。
【図１１】ＴＴＩバンドリングを説明するための図である。
【図１２】位相回転量αを説明するための図である。
【図１３】ＤＣＩフォーマット０に含まれる情報を示す図である。
【図１４】下りリンクのデータ（ＰＤＳＣＨ）をＵＬ  ｓｃｈｅｄｕｌｉｎｇ  ｇｒａｎｔ（ＤＣＩ  ｆｏｒｍａｔ  ０）と同時送信した場合の動作例である。
【図１５】ＰＵＳＣＨと周期的ＣＳＩフィードバックが同時に生じた場合の動作例である。
【図１６】ＰＵＳＣＨと非周期ＣＳＩフィードバックをスケジューリングした場合の動作例である。
【図１７】上りリンクの干渉キャンセルに必要な情報を示す図である。
【図１８】本発明の実施の形態における基地局の概要構成を示すブロック図である。
【図１９】本発明の実施の形態における各装置の構成を示すブロック図である。
【図２０】ユーザ装置ＵＥのＨＷ構成図である。
【図２１】基地局ｅＮＢのＨＷ構成図である。
【図２２】全ての情報をサブフレーム毎にダイナミックに通知する場合のシーケンス図である。
【図２３】一部の情報をセミスタティックに通知し、残りの情報をダイナミックに通知する場合のシーケンス図である。
【図２４】一部の情報をセミスタティックに通知し、残りの情報を基地局側で推定する場合のシーケンス図である。
【図２５】干渉制御情報のセットをセミスタティックに通知し、実際の割り当てＵＥ情報をダイナミックに通知する場合のシーケンス図である。
【図２６】干渉制御情報のセットをセミスタティックに通知し、実際の干渉発生基地局をダイナミックに通知する場合のシーケンス図である。
【発明を実施するための形態】
【００１７】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、干渉低減処理としてＳＩＣを例にとって説明しているが、本発明は、ＳＩＣに限らず、ＩＲＣ（タイプ１）、ＭＬＤにも適用可能である。また、本実施の形態では、上りリンクの制御情報として、特にＲｅｌ−８のＰＵＳＣＨに関する制御情報を説明しているが、これは説明のための例に過ぎず、本発明は、基本的にＬＴＥのどのＲｅｌ及びどのＵＬチャネルにも適用可能である。
【００１８】
（システム構成例）
図２に、本発明の実施の形態に係る無線通信システムの概要構成図を示す。本実施の形態に係る無線通信システムは、ＬＴＥ（特定のＲｅｌに限定されない）の無線通信システムであり、基地局１００（接続基地局）が接続セルを形成し、セル内のユーザ装置３００（接続ユーザ装置）が接続基地局１００と所望信号による通信を行う。
【００１９】
通常、無線通信システムには、多くの基地局が備えられるが、図２には、接続基地局１００と、これに隣接する基地局２００（干渉基地局）のみが示されている。この隣接する干渉基地局２００もセルを形成し、当該干渉基地局２００を接続基地局とする干渉ユーザ装置４００と信号の送受信を行う。この隣接する干渉基地局４００のセルに在圏する干渉ユーザ装置４００から送信される上りリンクの信号は、接続基地局１００に対して上りリンクの干渉信号となる。
【００２０】
本実施の形態では、基地局間（接続基地局１００と干渉基地局２００間）がＸ２インターフェースで接続されており、基地局間で通信を行うことが可能であり、干渉基地局２００が接続基地局１００に対して、接続基地局１００において干渉信号の低減処理を行うために必要な制御情報（干渉制御情報）を送信し、接続基地局１００は当該制御情報を利用して干渉信号に対する干渉低減処理を実行する。なお、"干渉信号を低減する"とは、干渉信号をキャンセルする、干渉信号を抑圧する、等の表現を総称したものである。ただし、干渉信号をキャンセルする、もしくは、干渉信号を抑圧する、という場合でも、特定の方式に限定されるわけではない。つまり、干渉信号をキャンセルするための方式、及び干渉信号を抑圧するための方式は、それぞれ、特定の方式に限定されるわけではない。
【００２１】
干渉低減処理としては、ＳＩＣ、ＭＬＤ、ＩＲＣ  ｔｙｐｅ１のうちのどの手法を使用してもよいが、本実施の形態では、シンボルレベルのＳＩＣを使用することを想定している。また、干渉低減処理を行う対象とする上り信号も特定の信号に限られないが、本実施の形態では干渉低減処理を行う対象とする上り信号がＰＵＳＣＨで送信される信号であることを想定している。なお、ＰＵＳＣＨで送信される信号のことを「データ」と称してもよい。また、「ＰＵＳＣＨ」の用語をＰＵＳＣＨで送信される信号／データの意味で使用する場合がある。
【００２２】
図３に、接続基地局１００に備えられ、上りリンクの干渉低減処理を行うＳＩＣ受信器の構成例を示す。ＳＩＣ受信器自体は既存技術であるため、当該構成については簡単に説明する。図３に示すように、本例でのＳＩＣ受信器は、ＣＰ検出部２１、３１、ＦＦＴ２２、３２、チャネル推定部４１、干渉キャンセラ４２、干渉信号検出を行う第１ステージ５０、所望信号検出を行う第２ステージ６０を含む。
【００２３】
第１ステージ５０は、信号検出部（ＩＲＣ２）５１、ＩＤＦＴ５２、軟判定シンボル推定部５３、ＤＦＴ５４を含む。第２ステージ６０は、信号検出部（ＩＲＣ２）６１、ＩＤＦＴ６２、ＬＬＲ計算部６３、チャネルデインタリーバ６４、ターボデコーダ６５を含む。
【００２４】
図３に示す構成では、チャネル推定部４１により干渉信号及び所望信号のチャネル推定が行われ、当該チャネル推定結果を用いて、第１ステージ５０において干渉信号（本実施の形態ではＰＵＳＣＨ）の復調が行われ、干渉キャンセラ４２において、受信信号から干渉信号を差し引くことにより、第２ステージにおいて精度の高い所望信号が取得される。なお、コードワードレベルＳＩＣでは、第１ステージ５０において干渉信号の復号まで行われる。
【００２５】
上記のような処理を行うことから、本実施の形態では、接続基地局１００において、干渉信号（ＰＵＳＣＨ）のチャネル推定のための制御情報、及び干渉信号（ＰＵＳＣＨ）の復調のための制御情報が必要となる。
【００２６】
以下では、干渉低減のために必要な制御情報について説明するが、説明にあたっては、まず、本実施の形態で干渉低減の対象となるＬＴＥの上りリンクのチャネル（特にＰＵＳＣＨ）についての概要を説明し、その後に、干渉低減のために必要な制御情報について説明する。干渉低減のために必要な制御情報のことを干渉低減情報と称してもよい。
【００２７】
（ＬＴＥ上りリンクについて）
以下、説明の便宜上、一例としてＬＴＥのＲｅｌ−８において規定されている上りリンクの内容について説明する。また、特に、本実施の形態において干渉低減処理の対象とするＰＵＳＣＨに着目して説明する。
【００２８】
＜上りリンクチャネルの概要＞
ＬＴＥでは、ＵＬ物理チャネル（ＵＬ  Ｐｈｙｓｉｃａｌ  ｃｈａｎｎｅｌｓ）として、ＰＵＣＣＨ（Ｐｈｙｓｉｃａｌ  Ｕｐｌｉｎｋ  Ｃｏｎｔｒｏｌ  Ｃｈａｎｎｅｌ）、ＰＵＳＣＨ（Ｐｈｙｓｉｃａｌ  Ｕｐｌｉｎｋ  Ｓｈａｒｅｄ  Ｃｈａｎｎｅｌ）、ＰＲＡＣＨ（Ｐｈｙｓｉｃａｌ  Ｒａｎｄｏｍ  Ａｃｃｅｓｓ  Ｃｈａｎｎｅｌ）等がある。
【００２９】
ＰＵＣＣＨは、ＣＱＩ（Ｃｈａｎｎｅｌ  Ｑｕａｌｉｔｙ  Ｉｎｄｉｃａｔｏｒ）、ＳＲ（Ｓｃｈｅｄｕｌｉｎｇ  ｒｅｑｕｅｓｔ）、ＡＣＫ／ＮＡＣＫ等を送信するための制御チャネルである。ＰＵＳＣＨは、トラヒックデータの送信や、上位レイヤの制御データの転送に用いられるデータチャネルである。ＰＲＡＣＨは、ＲＡＣＨプリアンブルの送信に用いられるチャネルである。
【００３０】
また、ＬＴＥにおいて、ＵＬ物理信号（ＵＬ  Ｐｈｙｓｉｃａｌ  ｓｉｇｎａｌｓ）として、ＤＭＲＳ（Ｄｅｍｏｄｕｌａｔｉｏｎ  ｒｅｆｅｒｅｎｃｅ  ｓｉｇｎａｌ）、ＳＲＳ（Ｓｏｕｎｄｉｎｇ  ｒｅｆｅｒｅｎｃｅ  ｓｉｇｎａｌ）等がある。
【００３１】
ＤＭＲＳは、ＰＵＳＣＨ、ＰＵＣＣＨのチャネル推定に用いられる信号である。ＳＲＳは、上りリンクのチャネル品質測定、ｅＮＢ−ＵＥ間のタイミング測定、ＵＬのスケジューリング等に用いられる信号である。
【００３２】
ＰＵＣＣＨはシステム帯域の両端のＲＢ（Ｒｅｓｏｕｒｃｅ  Ｂｌｏｃｋ）に配置される。また、ＳＲＳはサブフレームの最終シンボルに配置され、ＰＲＡＣＨはセル毎に決まったサブフレームの６ＲＢに配置される。
【００３３】
ＰＵＳＣＨは、上記以外のリソースに配置される。図４に、ＰＵＳＣＨ、ＳＲＳ、ＰＵＣＣＨの無線リソースにおける配置例を示す。図４に示すように、各ユーザのＰＵＳＣＨ（割り当てリソース）は、周波数・時間で多重される。特に、周波数上においてユーザ間で直交化されており同一セル内の干渉は無く、周波数スケジューリングにより、受信品質の高い周波数リソースが割り当て可能となっている。
【００３４】
＜ＤＭＲＳについて＞
図５に示すように、ＰＵＳＣＨにはＤＭＲＳが多重される。ＰＵＳＣＨを送信するＲＢに多重されるＤＭＲＳは、ＰＵＳＣＨを復調するためのチャネル推定に用いられる。また、ＰＵＳＣＨにおいて、ＤＭＲＳは、各スロットの第３ＳＣ−ＦＤＭＡシンボルに多重され、Ｃｙｃｌｉｃ  ｓｈｉｆｔ多重が適用される。
【００３５】
ＤＭＲＳにはＺａｄｏｆｆ−Ｃｈｕ系列が用いられることから、ここで、Ｚａｄｏｆｆ−Ｃｈｕ系列の概要について説明しておく。
【００３６】
Ｚａｄｏｆｆ−Ｃｈｕ系列は、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）系列の一種であり、系列の振幅が一定であり、ゼロシフト以外の自己相関値がゼロという特性を持つ。また、優れた相互相関特性も有している。
【００３７】
Ｚａｄｏｆｆ−Ｃｈｕ系列の系列パターン数は、系列長Ｎが素数の場合に最大となり、（Ｎ−１）個の系列を生成可能である。ここで、ＰＵＳＣＨのＤＭＲＳでは割り当てＲＢ数×１２サブキャリア数の系列長が必要となることから、系列のパターン数を最大とするために、ＲＢ数×１２を超えない最大の素数にてＺａｄｏｆｆ−Ｃｈｕ系列が生成され，足りない分は巡回拡張により補われる。
【００３８】
ＤＭ−ＲＳでは、３０個のシーケンスグループ（ｓｅｑｕｅｎｃｅ  ｇｒｏｕｐ）と、２種類のベースシーケンスインデックス（ＲＢ＞６の時）が用いられる。ただし、セル間で同じｓｅｑｕｅｎｃｅ  ｇｒｏｕｐ／ｂａｓｅ  ｓｅｑｕｅｎｃｅ  ｉｎｄｅｘが適用されると、信号が衝突し特性が劣化することから、ホッピング（ｈｏｐｐｉｎｇ）で衝突の確率を低減することとしている。
【００３９】
そのようなホッピングとして、グループホッピング（Ｇｒｏｕｐ  ｈｏｐｐｉｎｇ）と、シーケンスホッピング（Ｓｅｑｕｅｎｃｅ  ｈｏｐｐｉｎｇ）の２種類のホッピングが規定されている。
【００４０】
グループホッピングは、Ｃｅｌｌ−ＩＤに基づきスロット単位でシーケンスグループ番号をホッピングさせるものである。図６Ａのように、Ｃｅｌｌ−１、２がある状態で、Ｃｅｌｌ−１、２に同じ系列（同じシーケンスグループ番号及びベースシーケンスインデックス）を割り当てると、図６Ｂの左側に示すように、ホッピングを行わない場合には、信号の衝突が生じる。一方、図６Ｂの右側に示すように、ＤＭＲＳ系列を生成する際に使用するシーケンスグループ番号をスロット単位でホッピングさせることで衝突の確率を低減できる。
【００４１】
なお、グループホッピングとシーケンスホッピングは併用不可である。ホッピングの適用の有無及びホッピング方法は、報知チャネルで通知される。
【００４２】
図７は、グループホッピングの詳細例を示す図である。図７に示す例において、Ｃｅｌｌ−ＩＤ＃０〜＃８９のセルが示される。ホッピングのパターンに関し、Ｃｅｌｌ−ＩＤ＃０〜＃２９のパターンは１つのランダム系列から生成され、Ｃｅｌｌ−ＩＤ＃３０〜＃５９のパターンは１つのランダム系列から生成され、Ｃｅｌｌ−ＩＤ＃６０〜＃８９のパターンは１つのランダム系列から生成される。各パターンにおける各スロットでのグループ番号については巡回シフトされている。例えば、図７におけるＣｅｌｌ−ＩＤ＃０とセルＩＤ＃１とでは１シフトされている。このようにグループホッピングを用いることにより、近接するセル間でＤＭＲＳの衝突確率を低減できる。
【００４３】
＜ＰＵＳＣＨについて＞
図８を参照してＰＵＳＣＨに関する信号送受信手順について説明する。以下では、基地局をｅＮＢとし、ユーザ装置をＵＥとして説明する。
【００４４】
サブフレーム＃ｎにおいて、ｅＮＢのスケジューラ処理により、ＵＥに上りデータチャネルを送信させると決定した場合に、ｅＮＢは当該ＵＥ向けにＰＤＣＣＨを送信する（ステップ１０）。
【００４５】
ＵＥはＰＤＣＣＨの受信を試み、自分宛てのＰＤＣＣＨ（ＵＬ  ｓｃｈｅｄｕｌｉｎｇ  ｇｒａｎｔ）を検出した場合、４ｍｓｅｃ後にＰＵＳＣＨを送信すると認識する。そして、サブフレーム（＃ｎ＋４）において、ＵＥはＰＵＳＣＨを送信し（ステップ１１）、ｅＮＢはＰＵＳＣＨの受信を行う（ステップ１２）。なお、図８には、伝搬遅延（Ｔｐ：Ｐｒｏｐａｇａｔｉｏｎ  ｄｅｌａｙ）も示されている。
【００４６】
サブフレーム（＃ｎ＋８）において、ｅＮＢは、サブフレーム（＃ｎ＋４）にて受信したＰＵＳＣＨの復号結果（ＣＲＣ  ＯＫ／ＮＧ）に応じて再送を行うかどうかを判断し、再送時にはＰＨＩＣＨ（ＮＡＣＫ）もしくはＰＤＣＣＨ（ＵＬ  ｓｃｈｅｄｕｌｉｎｇ  ｇｒａｎｔ）をＵＥに送信し（ステップ１３）、再送をＵＥに指示する。
【００４７】
ＰＵＣＣＨによるＵＣＩ（ＣＱＩ、ＲＩ、ＡＣＫ／ＮＡＣＫ）の送信タイミングとＰＵＳＣＨの送信タイミングが同時である場合、ＵＣＩはＰＵＳＣＨに多重されて送信される。これはシングルキャリアの特性担保のためである。この場合、ＤＦＴ前でみると図９に示すようにしてＵＣＩの配置がなされる。すなわち、ＡＣＫ／ＮＡＣＫはＤＭＲＳの隣のシンボルに配置され、ＲＩはＡＣＫ／ＮＡＣＫの配置位置の隣のシンボルに配置され、ＣＱＩは全シンボルにわたって配置される。
【００４８】
また、ＰＵＳＣＨにおいて、周波数ダイバーシチを得るために周波数ホッピングが適用される。
【００４９】
周波数ホッピングには、ＴＴＩ内でスロット単位にホッピングを行うＩｎｔｒａ−ＴＴＩホッピングと、ＴＴＩ間でホッピングを行うＩｎｔｅｒ−ＴＴＩホッピングがある。図１０ＡにＩｎｔｒａ−ＴＴＩホッピングの例を示し、図１０ＢにＩｎｔｅｒ−ＴＴＩホッピングの例を示す。図１０Ｂに示すように、Ｉｎｔｅｒ−ＴＴＩホッピングは、再送時に使用するＲＢを変更するために行われる。
【００５０】
また、ＬＴＥのＵＬにおいては、図１１のステップ２１に例示するように、複数のＴＴＩに跨って１つの情報（ＰＵＳＣＨデータ等）を送るＴＴＩバンドリング（ｂｕｎｄｌｉｎｇ）が行われる場合がある。これにより、カバレッジが改善され、特にＶｏＩＰ等のＧＢＲ（Ｇｕａｒａｎｔｅｅｄ  Ｂｉｔ  Ｒａｔｅ）サービス等に有効である。
【００５１】
（干渉低減処理実施のために必要な情報について）
以下、図２に示した本実施の形態に係るシステムにおいて、接続基地局１００が干渉信号に対する干渉低減処理を実施するために必要な制御情報の例を説明する。前述したように、本実施の形態では、例として、干渉低減処理の対象となる干渉信号をＰＵＳＣＨとし、干渉低減処理はＳＩＣであるとするが、本発明は他の干渉信号、及び他の干渉低減処理についても適用可能である。
【００５２】
既に説明したように、干渉低減処理実施のための制御情報として、干渉信号のチャネル推定のための情報と、ＰＵＳＣＨの復調（コードワードＳＩＣの場合は復調・復号）のための情報が必要になる。以下、それぞれについて説明する。
【００５３】
＜干渉信号のチャネル推定のための情報例＞
干渉信号のチャネル推定を実施するには、ＰＵＳＣＨの復調用参照信号であるＤＭＲＳの系列情報が必要である。ＤＭＲＳの系列情報を取得するためには、ベースとなるＺａｄｏｆｆ−Ｃｈｕ系列の特定（Ａ）、及び、当該ベースとなるＺａｄｏｆｆ−Ｃｈｕ系列に対する位相回転量の特定（Ｂ）が必要である。以下、その内容を説明するが、詳細については非特許文献２（Ｓｅｃｔ．  ５．５．１）を参照されたい。
【００５４】
―――（Ａ）ベースとなるＺａｄｏｆｆ−Ｃｈｕ系列の特定――――
ベースとなるＺａｄｏｆｆ−Ｃｈｕ系列（ベース系列とも称する）の特定のためには、ＰＵＳＣＨの割り当て帯域幅の情報が必要である。これは、ＰＵＳＣＨの割り当て帯域幅（ＲＢ数）に応じて系列が変化するためである。
【００５５】
更に、どのＺａｄｏｆｆ−Ｃｈｕ系列が使用されているかの情報が必要である。具体的には、グループ番号（ｇｒｏｕｐ  ｎｕｍｂｅｒ、全３０パターン）、及びベースシーケンス番号（ｂａｓｅ  ｓｅｑｕｅｎｃｅ  ｎｕｍｂｅｒ、割り当てが５ＲＢまでなら１パターン、それ以上なら２パターン）が必要である。
【００５６】
これらの情報を干渉基地局２００から接続基地局１００に通知する際には、グループ番号／ベースシーケンス番号そのものを通知してもよいし、ホッピング情報及びスロット番号を通知してもよい。
【００５７】
ホッピング情報としては、グループホッピング情報と、シーケンスホッピング情報がある。グループホッピング情報には、グループホッピングを行うか否かを示す情報（例：ｈｉｇｈｅｒ  ｌａｙｅｒで通知される"Ｇｒｏｕｐ−ｈｏｐｐｉｎｇ−ｅｎａｂｌｅｄ"）、及び、ホッピングパターンの生成のための情報としてのＰｈｙｓｉｃａｌ  ｃｅｌｌ  ＩＤ、及びＳｅｑｕｅｎｃｅ−ｓｈｉｆｔ  ｐａｔｔｅｒｎ等がある。Ｓｅｑｕｅｎｃｅ−ｓｈｉｆｔ  ｐａｔｔｅｒｎは、ＰＣＩＤとｈｉｇｈｅｒ  ｌａｙｅｒで通知されるΔｓｓから計算することができる。
【００５８】
シーケンスホッピングに関する情報には、シーケンスホッピングを行うか否かの情報（例：ｈｉｇｈｅｒ  ｌａｙｅｒで通知される"Ｓｅｑｕｅｎｃｅ−ｈｏｐｐｉｎｇ−ｅｎａｂｌｅｄ"）、及び、ホッピングパターンの生成のための情報としてのＰＣＩＤ及びＳｅｑｕｅｎｃｅ−ｓｈｉｆｔ  ｐａｔｔｅｒｎ等がある。なお、割り当てが５ＲＢまでであれば１パターンしかないのでホッピングを行わない。
【００５９】
―――（Ｂ）ベース系列に対する位相回転量の特定―――――
図１２に示すように、ＤＭ−ＲＳのベース系列は、所定の位相回転量（α）だけ位相回転がなされた後に、ＯＦＤＭ変調がなされ、送信される。ＤＭＲＳの系列情報を特定するには、この位相回転量（α）が必要である。
【００６０】
そのために、干渉基地局２００から接続基地局１００へはαそのものを通知してもよいし、αを算出するために必要な情報を通知し、接続基地局１００においてαを算出してもよい。
【００６１】
αを算出するために必要な情報は、例えば、Ｈｉｇｈｅｒ  ｌａｙｅｒで通知される"ｃｙｃｌｉｃＳｈｉｆｔ"情報、下りリンクのＤＣＩ  ｆｏｒｍａｔ  ０で通知されるｃｙｃｌｉｃ  ｓｈｉｆｔ  ｆｏｒ  ＤＭＲＳ（後述）、ＰＣＩＤ、スロット番号ｎｓ、及びＳｅｑｕｅｎｃｅ−ｓｈｉｆｔ  ｐａｔｔｅｒｎ（ｆｓｓ）等である。
【００６２】
＜ＰＵＳＣＨの復調のために必要な情報＞
ＰＵＳＣＨの復調のために必要な情報は、割り当て帯域情報、ＰＵＳＣＨホッピング情報、変調情報、ＳＲＳがｃｏｎｆｉｇｕｒｅされているかどうかを示す情報、ＵＣＩが多重されているか否かを示す情報、である。これらは、シンボルレベルＳＩＣを想定したＰＵＳＣＨの復調のために必要な情報であり、コードワードＳＩＣの場合には、復号のための情報として、これらに加えて、符号化情報・冗長バージョン、スクランブリング情報、Ｃ−ＲＮＴＩ（ｏｒパリティ検査ビット）が必要となる。これらの情報が、干渉制御情報として干渉基地局２００から接続基地局１００へ通知される。
【００６３】
上記の情報に加えて、ＴＴＩバンドリング情報、再送時にＰＵＳＣＨホッピングを行うか否かを示す情報を通知することとしてもよい。これらを通知することにより、干渉の検出能力向上を図ることができる。
【００６４】
―――ＤＣＩ  ｆｏｒｍａｔ  ０について―――
上記の情報のうち、割り当て帯域情報、ＰＵＳＣＨホッピング情報、変調情報、符号化情報・冗長バージョンは、例えばＤＣＩフォーマット０（ＰＤＣＣＨで通知される制御情報）に含まれる情報である。
【００６５】
図１３に、ＤＣＩフォーマット０の例を示す（詳細は非特許文献３参照）。図１３の右端欄には、該当の情報がＳＩＣに必要か否かが示されている。図１３において「必要」と表示されている情報を干渉基地局２００から接続基地局１００へ通知すればよい。図１３に示すように、ＣＱＩ  ｒｅｑｕｅｓｔは、非周期的ＣＱＩ送信を行うか否かを示す情報であり、後述するように、ＵＣＩ多重化判定のために必要な情報である。
【００６６】
―――ＵＣＩが多重されているか否かを示す情報――――
次に、ＵＣＩが多重されているか否かを示す情報について説明する。ＳＩＣにおけるＰＵＳＣＨの復調において、ＵＣＩが多重されている場合には、データのみならずＵＣＩも復調する必要があるから、ＵＣＩが多重されていることの情報が必要である。
【００６７】
接続基地局１００は配下のＵＥのＵＣＩがＰＵＳＣＨと多重されているかどうかについては、自分自身でＵＥにｃｏｎｆｉｇｕｒｅした事項であるため、ｉｍｐｌｉｃｉｔに判定できる。しかし、干渉ＵＥの信号についてはこれを把握することができないので、本実施の形態では干渉基地局２００から接続基地局１００に対して、これを示す情報をｅｘｐｌｉｃｉｔに通知する。より詳細には、当該情報には、ＵＣＩ多重がなされているか否かを示す情報（ｏｒ  ＵＣＩ多重がなされていることを示す情報）と、どのＵＣＩ  ｆｏｒｍａｔが多重されているかを示す情報とが含まれる。ただし、後者のＵＣＩ  ｆｏｒｍａｔの情報に関しては、干渉ＵＥのＰＵＳＣＨがＱＰＳＫでありかつ、干渉低減処理がシンボルレベルＳＩＣであれば必要はない。
【００６８】
ＵＣＩ多重がなされる場合の例として、３つの例を図１４〜図１６に示す。図１４〜図１６では、基地局をｅＮＢとし、ユーザ装置をＵＥとして説明する。
【００６９】
図１４は、下りリンクのデータ（ＰＤＳＣＨ）をＵＬ  ｓｃｈｅｄｕｌｉｎｇ  ｇｒａｎｔ（ＤＣＩ  ｆｏｒｍａｔ  ０）と同時送信する場合の例である。
【００７０】
図１４に示すように、ｅＮＢからＵＥに対してＰＤＳＣＨとＰＤＣＣＨ（ＵＬ  ｓｃｈｅｄｕｌｉｎｇ  ｇｒａｎｔ）が同時に送信されると（ステップ３１）、ステップ３２において、ＵＥからｅＮＢに対して、ＡＣＫ／ＮＡＣＫが多重されたＰＵＳＣＨが送信される。
【００７１】
図１５は、ＰＵＳＣＨと周期的ＣＳＩフィードバックが同時に生じた場合の例である。図１５のステップ４１において、ＵＥからのＰＵＳＣＨ送信タイミングが周期的ＣＳＩフィードバックタイミングと一致し、ＰＵＳＣＨと周期的ＣＳＩが同時にＵＥからｅＮＢに送信されている。
【００７２】
図１６は、ＰＵＳＣＨと非周期ＣＳＩフィードバックをスケジューリングした場合の例である。
【００７３】
図１６に示すように、ｅＮＢからＵＥに対してＵＬ  ｓｃｈｅｄｕｌｉｎｇ  ｇｒａｎｔによりＰＵＳＣＨがスケジューリングされるとともに、非周期ＣＳＩフィードバックがスケジューリングされると（ステップ５１）、ステップ５２において、ＵＥからｅＮＢに対して、非周期ＣＳＩ（図１６ではＣＱＩ）が多重されたＰＵＳＣＨが送信される。
【００７４】
上記に例示したとおり、干渉基地局２００から接続基地局１００に送信する「ＵＣＩ多重がなされることを示す情報」として、例えば、「ＰＤＳＣＨとＵＬ  ｓｃｈｅｄｕｌｉｎｇ  ｇｒａｎｔが同時送信されたこと」、「ＰＵＳＣＨ送信タイミングと周期的ＣＳＩタイミングが一致すること」、「ＰＵＳＣＨと非周期ＣＳＩフィードバックがスケジューリングされたこと」等がある。
【００７５】
＜干渉制御情報のまとめ＞
図１７は、接続基地局１００において、干渉信号の干渉低減処理（ここではＳＩＣ）のために必要となる情報である干渉制御情報の例をまとめた図である。
【００７６】
図１７に示すように、チャネル推定のための情報のうち、ダイナミック（例：サブフレーム、もしくはスロットの単位）に変化し得る情報としては、ＰＣＩＤ、割り当て帯域幅、Ｚａｄｏｆｆ−Ｃｈｕ系列情報、位相回転情報（α）等があり、セミスタティック又はスタティックの情報としては、Ｚａｄｏｆｆ−Ｃｈｕホッピング情報等がある。
【００７７】
また、ＰＵＳＣＨの復調・復号のための情報のうち、ダイナミックに変化し得る情報としては、割り当て帯域情報、ＰＵＳＣＨホッピング情報、変調方式、符号化情報、冗長バージョン、スクランブリング情報、ＵＣＩ多重情報等があり、セミスタティック又はスタティックの情報としては、Ｃ−ＲＮＴＩ、ＳＲＳ  ｃｏｎｆｉｇｕｒａｔｉｏｎ等がある。
【００７８】
また、その他の情報として、ＴＴＩバンドリング情報、Ｉｎｔｅｒ  ＴＴＩ  ｈｏｐｐｉｎｇ情報等がある。
【００７９】
なお、「セミスタティック」の情報とは、例えば、ＲＲＣシグナリングにより通知される情報である。また、「情報をセミスタティックに送信する」といった場合は、ダイナミック（例：サブフレーム単位）よりは長い時間間隔で情報を送信することを意味する。
【００８０】
図１７に示す情報は例であり、これらの情報を全て干渉基地局２００から接続基地局１００に送信してもよいし、これらの情報のうちの一部の情報を送信することとしてもよい。また、図１７に記載されていない情報を干渉基地局２００から接続基地局１００に送信してもよい。一部の情報を送信する場合において、送信しない必要な情報については、接続基地局１００において推定可能であれば推定することとしてもよいし、推定が難しい場合には、例えば予め定めた値を使用することとしてもよい。
【００８１】
また、ダイナミックに変化する情報は基本的にはダイナミックに送信するが、ダイナミックに変化する情報をセミスタティック又はスタティックに送信することとしてもよい。
【００８２】
（シグナリング方法）
本実施の形態では、下記の方法１〜方法４に示すパターンで干渉制御情報を干渉基地局２００から接続基地局１００に例えばＸ２インターフェースにより通知（シグナリング）する。なお、Ｘ２インターフェースを使用することは一例であり、基地局間で必要な情報を送受信できるのであればどのようなルートで干渉制御情報を送受信してもよい。
【００８３】
＜方法１＞
方法１では、干渉基地局２００から接続基地局１００に対して、通知する全ての干渉制御情報をサブフレーム毎にダイナミックに通知する。
【００８４】
＜方法２＞
方法２では、干渉基地局２００から接続基地局１００に対して、通知する干渉制御情報のうちの一部の情報（例：セミスタティックに変化する情報）をセミスタティックに通知し、残りの情報をダイナミックに通知する。これを方法２−１とする。また、残りの情報については、接続基地局１００の側で推定することとしてもよい。このように残りの情報を推定する方法を方法２−２とする。
【００８５】
＜方法３＞
方法３では、干渉基地局２００から接続基地局１００に対して、複数の干渉ユーザ装置における一部の干渉制御情報（例：セミスタティックに変化する情報）のセットをセミスタティックに通知し、実際にどの干渉ユーザ装置に対してＰＵＳＣＨが割り当てられているかを示す情報をダイナミックに通知する。残りの情報についてはダイナミックに通知してもよいし（これを方法３−１とする）、接続基地局１００側で推定することとしてもよい（これを方法３−２とする）。
【００８６】
＜方法４＞
方法４では、複数の干渉基地局が存在するものとし、当該複数の干渉基地局が、それぞれにおける一部の干渉制御情報（例：セミスタティックに変化する情報）をセミスタティックに接続基地局１００に送信し、各干渉基地局は、自セルが実際に接続基地局１００に対して上りリンク干渉を及ぼすか否かを示す情報（ＯＮ／ＯＦＦ情報）をダイナミックに通知する。残りの情報についてはダイナミックに通知してもよいし（これを方法４−１とする）、接続基地局１００側で推定することとしてもよい（これを方法４−２とする）。
【００８７】
（装置構成）
＜概要構成＞
次に、本発明の実施の形態におけるシステム構成を説明する。図１８は、本発明の実施の形態に係る基地局の概要構成を示すブロック図である。図１８は、図２に示すシステム構成に対応しており、接続基地局１００、干渉基地局２００、接続ユーザ装置３００、干渉ユーザ装置４００が示されている。また、図１８は、各基地局において、特に上り干渉信号の低減処理に関連する機能を示している。
【００８８】
図１８に示すように、接続基地局１００は、干渉基地局２００から、接続基地局１００に対する干渉信号を低減するために利用される制御情報を受信する制御情報受信部１２１と、当該制御情報を利用して、干渉信号を低減し、接続ユーザ装置３００から送信される所望信号を取得する干渉低減処理部１２２とを備える。また、干渉基地局２００は、制御情報（干渉ユーザ装置４００の上り所望信号に関する情報）を生成する制御情報生成部２３１と、当該制御情報を接続基地局１００に送信する制御情報送信部２３２を備える。
【００８９】
＜詳細構成例＞
次に、本発明の実施の形態における詳細なシステム構成を説明する。図１９は、本発明の実施の形態に係る各装置の詳細構成を示すブロック図である。図１９は、図２に示すシステム構成に対応しており、接続基地局１００、干渉基地局２００、接続ユーザ装置３００、干渉ユーザ装置４００が示されている。
【００９０】
図１９に示すように、接続基地局１００は、スケジューリング情報決定部１０１、制御情報共有部１０２、有線Ｉ／Ｆ１０３、送信データ受信部１０４、干渉制御情報推定部１０５、干渉制御情報蓄積部１０６、ＳＩＣ部１０７、受信データ蓄積部１０８、無線Ｉ／Ｆ１０９を有する。干渉基地局２００も同様の構成を備える。以下では、接続基地局１００の各機能部を説明するが、干渉基地局２００における各機能部も同様である。
【００９１】
スケジューリング情報決定部１０１は、配下のユーザ装置のリソースの割り当て情報（制御情報）を決定（生成）する。制御情報共有部１０２は、スケジューリング情報決定部１０１によって決定された制御情報（他基地局にとっての干渉制御情報）を他基地局へ通知する。有線Ｉ／Ｆ１０３は、基地局間の有線Ｉ／Ｆであるが、これは無線Ｉ／Ｆでも構わない。
【００９２】
送信データ受信部１０４は、ユーザ装置から送信されたデータを受信する。干渉制御情報推定部１０５は、受信した信号から干渉信号の制御情報を推定する。なお、推定を行わない場合、干渉制御情報推定部１０５を備えなくてもよい。また、推定方法は特定の方法に限られず、任意の方法を使用できる。一例として、推定すべき情報の取り得る値が限られている場合、最も確からしい値を受信信号から最尤推定してもよいし、干渉信号の制御信号を復号して得られた値を推定値として用いることもできる。
【００９３】
干渉制御情報蓄積部１０６は、他基地局から干渉信号の制御情報（干渉制御情報）を受信し、蓄積する。ＳＩＣ部１０７は、受信信号と干渉信号の制御情報を用いて干渉信号に対するＳＩＣを実施し、受信データを復号する。受信データ蓄積部１０８は、受信データを蓄積するメモリであり、無線Ｉ／Ｆ１０９は、ユーザ装置との間で無線通信を行う。
【００９４】
図１９に示すように、接続ユーザ装置３００は、スケジューリング要求部３０１、送信制御情報受信部３０２、送信データ蓄積部３０３、送信信号生成部３０４、無線Ｉ／Ｆ３０５を有する。干渉ユーザ装置４００も同様の構成を備える。以下では、接続ユーザ装置３００の各機能部を説明するが、干渉ユーザ装置４００における各機能部も同様である。
【００９５】
スケジューリング要求部３０１は、基地局へ上りリンクのリソース割り当てを要求する。送信制御情報受信部３０２は、基地局からリソース割り当て情報を受信する。送信データ蓄積部３０３は、送信するデータを蓄積するメモリである。送信信号生成部３０４は、基地局から受け取った制御情報を元に送信データを無線信号へ変調・符号化する。無線Ｉ／Ｆ３０５は、基地局との間で無線通信を行う。
【００９６】
（ＨＷ構成例）
図１８、図１９に示した各装置の構成は、全体をハードウェア回路（例：１つ又は複数のＩＣチップ）で実現してもよいし、一部をハードウェア回路で構成し、その他の部分をＣＰＵとプログラムとで実現してもよい。
【００９７】
図２０は、接続ユーザ装置３００に相当するユーザ装置ＵＥのハードウェア（ＨＷ）構成の例を示す図である。図２０は、図１８、図１９に示した構成よりも実装例に近い構成を示している。図２０に示すように、当該ＵＥは、無線信号に関する処理を行うＲＥ（Ｒａｄｉｏ  Ｅｑｕｉｐｍｅｎｔ）モジュール５５１と、ベースバンド信号処理を行うＢＢ（Ｂａｓｅ  Ｂａｎｄ）処理モジュール５５２と、上位レイヤ等の処理を行う装置制御モジュール５５３と、ＵＳＩＭカードにアクセスするインタフェースであるＵＳＩＭスロット５５４とを有する。
【００９８】
ＲＥモジュール５５１は、ＢＢ処理モジュール５５２から受信したデジタルベースバンド信号に対して、Ｄ／Ａ（Ｄｉｇｉｔａｌ−ｔｏ−Ａｎａｌｏｇ）変換、変調、周波数変換、及び電力増幅等を行うことでアンテナから送信すべき無線信号を生成する。また、受信した無線信号に対して、周波数変換、Ａ／Ｄ（Ａｎａｌｏｇ  ｔｏ  Ｄｉｇｉｔａｌ）変換、復調等を行うことでデジタルベースバンド信号を生成し、ＢＢ処理モジュール５５２に渡す。図１８あるいは図１９に示した接続ユーザ装置３００の各部の機能は、ＲＥモジュール５５１に含まれることとしてもよいし、図１８あるいは図１９に示した接続ユーザ装置３００の一部の機能がＲＥモジュール５５１に含まれ、その他の機能が下記のＢＢ処理モジュール５５２に含まれることとしてもよい。
【００９９】
ＢＢ処理モジュール５５２は、ＩＰパケットとデジタルベースバンド信号とを相互に変換する処理を行う。ＤＳＰ（Ｄｉｇｉｔａｌ  Ｓｉｇｎａｌ  Ｐｒｏｃｅｓｓｏｒ）５６２は、ＢＢ処理モジュール５５２における信号処理を行うプロセッサである。メモリ５７２は、ＤＳＰ５６２のワークエリアとして使用される。
【０１００】
装置制御モジュール５５３は、ＩＰレイヤのプロトコル処理、各種アプリケーションの処理等を行う。プロセッサ５６３は、装置制御モジュール５５３が行う処理を行うプロセッサである。メモリ５７３は、プロセッサ５６３のワークエリアとして使用される。また、プロセッサ５６３は、ＵＳＩＭスロット５５４を介してＵＳＩＭとの間でデータの読出し及び書込みを行う。
【０１０１】
図２１は、接続基地局１００に相当する基地局ｅＮＢのハードウェア（ＨＷ）構成の例を示す図である。図２１は、図１８、図１９に示した構成よりも実装例に近い構成を示している。図２１に示すように、基地局ｅＮＢは、無線信号に関する処理を行うＲＥモジュール６５１と、ベースバンド信号処理を行うＢＢ処理モジュール６５２と、上位レイヤ等の処理を行う装置制御モジュール６５３と、ネットワークと接続するためのインタフェースである通信ＩＦ６５４とを有する。
【０１０２】
ＲＥモジュール６５１は、ＢＢ処理モジュール６５２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール６５２に渡す。図１８あるいは図１９に示した接続基地局１００の各部の機能は、ＲＥモジュール６５１に含まれることとしてもよいし、図１８あるいは図１９に示した接続基地局１００の一部の機能がＲＥモジュール６５１に含まれ、その他の機能が下記のＢＢ処理モジュール６５２に含まれることとしてもよい。
【０１０３】
ＢＢ処理モジュール６５２は、ＩＰパケットとデジタルベースバンド信号とを相互に変換する処理を行う。ＤＳＰ６６２は、ＢＢ処理モジュール６５２における信号処理を行うプロセッサである。メモリ６７２は、ＤＳＰ６５２のワークエリアとして使用される。
【０１０４】
装置制御モジュール６５３は、ＩＰレイヤのプロトコル処理、ＯＡＭ処理等を行う。プロセッサ６６３は、装置制御モジュール６５３が行う処理を行うプロセッサである。メモリ６７３は、プロセッサ６６３のワークエリアとして使用される。補助記憶装置６８３は、例えばＨＤＤ等であり、基地局ｅＮＢ自身が動作するための各種設定情報等が格納される。
【０１０５】
（システムの動作例）
次に、図２２〜図２６を参照して、図１８もしくは図１９に示した機能を含むシステムの動作例１〜４を説明する。
【０１０６】
＜動作例１＞
図２２は、方法１に対応し、全ての情報をサブフレーム毎にダイナミックに通知する場合のシーケンス図である。
【０１０７】
接続ユーザ装置３００が接続基地局１００にスケジューリング要求を送信する（ステップ１０１）ことにより、接続基地局１００は接続ユーザ装置３００のスケジューリング（例：ＰＵＳＣＨの割り当て）を決定し、制御情報（例：ＵＬ  ｇｒａｎｔ）を接続ユーザ装置３００に送信する（ステップ１０３）。これより接続ユーザ装置３００は送信信号を生成し（ステップ１０４）、所望信号（ＰＵＳＣＨにより送信されるデータ等）を接続基地局１００に送信する（ステップ１０５）。
【０１０８】
干渉基地局２００側でも同様に、干渉ユーザ装置４００が干渉基地局２００にスケジューリング要求を送信する（ステップ２０１）ことにより、干渉基地局２００は干渉ユーザ装置４００のスケジューリング（例：ＰＵＳＣＨの割り当て）を決定し、制御情報（例：ＵＬ  ｇｒａｎｔ）を干渉ユーザ装置４００に送信する（ステップ２０３）。これにより干渉ユーザ装置４００は送信信号を生成し（ステップ２０５）、干渉信号（干渉基地局２００にとっての所望信号）を干渉基地局２００に送信する（ステップ２０６）。当該干渉信号は接続基地局１００に到来する。
【０１０９】
また、干渉基地局２００は、スケジューリング決定の後、干渉制御情報を接続基地局１００に通知する（ステップ２０４）。接続基地局１００は、当該干渉制御情報を利用してＳＩＣ受信処理を行い（ステップ１０６）、送信データを復号する（ステップ１０７）。すなわち、接続基地局１００は、ステップ１０５及びステップ２０６で受信する受信信号の中の干渉信号の復調を行って、受信信号から干渉信号をキャンセルすることで所望信号を取得し、所望信号の復号を行って送信データを取得する。
【０１１０】
＜動作例２＞
図２３は、方法２−１に対応し、一部の情報をセミスタティックに通知し、残りの情報をダイナミックに通知する場合のシーケンス図である。
【０１１１】
図２３に示すとおり、干渉基地局２００が接続基地局１００に対してセミスタティックに一部の干渉制御情報を送信する（ステップ２１１）。
【０１１２】
また、接続ユーザ装置３００が接続基地局１００にスケジューリング要求を送信する（ステップ１０１）ことにより、接続基地局１００は接続ユーザ装置３００のスケジューリング（例：ＰＵＳＣＨの割り当て）を決定し、制御情報（例：ＵＬ  ｇｒａｎｔ）を接続ユーザ装置３００に送信する（ステップ１０３）。これより接続ユーザ装置３００は送信信号を生成し（ステップ１０４）、所望信号（ＰＵＳＣＨにより送信されるデータ等）を接続基地局１００に送信する（ステップ１０５）。
【０１１３】
干渉基地局２００側でも同様に、干渉ユーザ装置４００が干渉基地局２００にスケジューリング要求を送信する（ステップ２０１）ことにより、干渉基地局２００は干渉ユーザ装置４００のスケジューリング（例：ＰＵＳＣＨの割り当て）を決定し、制御情報（例：ＵＬ  ｇｒａｎｔ）を干渉ユーザ装置４００に送信する（ステップ２０３）。これにより干渉ユーザ装置４００は送信信号を生成し（ステップ２０５）、干渉信号（干渉基地局２００にとっての所望信号）を干渉基地局２００に送信する（ステップ２０６）。当該干渉信号は接続基地局１００に到来する。
【０１１４】
また、干渉基地局２００は、スケジューリング決定の後、残りの干渉制御情報（ダイナミック情報）を接続基地局１００に通知する（ステップ２０４）。接続基地局１００は、ステップ２１１で受信した干渉制御情報とステップ２０４で受信した干渉制御情報とを利用してＳＩＣ受信処理を行い（ステップ１０６）、送信データを復号する（ステップ１０７）。
【０１１５】
図２４は、方法２−２に対応し、一部の情報をセミスタティックに通知し、残りの情報を基地局側で推定する場合のシーケンス図である。図２４では、図２３と比較して、図２３にあるステップ２０４がなく、ステップ１１１が加えられた点が異なり、他の処理は同じである。ステップ１１１では、接続基地局１００は、例えばステップ２０６で受信した干渉信号に基づいて、ステップ２１１で受信していない干渉制御情報を推定する。接続基地局１００は、ステップ２１１で受信した干渉制御情報とステップ１１１で推定した干渉制御情報とを利用してＳＩＣ受信処理を行い（ステップ１０６）、送信データを復号する（ステップ１０７）。
【０１１６】
＜動作例３＞
図２５は、方法３−１、３−２に対応し、複数ＵＥの干渉制御情報のセットをセミスタティックに通知し、実際の割り当てＵＥ情報をダイナミックに通知する場合のシーケンス図である。
【０１１７】
図２５に示すとおり、干渉基地局２００が接続基地局１００に対してセミスタティックに一部の干渉制御情報を送信する（ステップ２２１）。ここで送信される干渉制御情報は、複数の干渉ユーザ装置に関する干渉制御情報である。
【０１１８】
接続ユーザ装置３００が接続基地局１００にスケジューリング要求を送信する（ステップ１０１）ことにより、接続基地局１００は接続ユーザ装置３００のスケジューリング（例：ＰＵＳＣＨの割り当て）を決定し、制御情報（例：ＵＬ  ｇｒａｎｔ）を接続ユーザ装置３００に送信する（ステップ１０３）。これにより接続ユーザ装置３００は送信信号を生成し（ステップ１０４）、所望信号（ＰＵＳＣＨにより送信されるデータ等）を接続基地局１００に送信する（ステップ１０５）。
【０１１９】
干渉基地局２００側でも同様に、干渉ユーザ装置４００が干渉基地局２００にスケジューリング要求を送信する（ステップ２０１）ことにより、干渉基地局２００は干渉ユーザ装置４００のスケジューリング（例：ＰＵＳＣＨの割り当て）を決定し、制御情報（例：ＵＬ  ｇｒａｎｔ）を干渉ユーザ装置４００に送信する（ステップ２０３）。これにより干渉ユーザ装置４００は送信信号を生成し（ステップ２０５）、干渉信号（干渉基地局２００にとっての所望信号）を干渉基地局２００に送信する（ステップ２０６）。当該干渉信号は接続基地局１００に到来する。
【０１２０】
また、干渉基地局２００は、スケジューリング決定の後、割り当てを行った干渉ユーザ装置の情報（例：各ＵＥの固有情報であるＣ−ＲＮＴＩや、どのＵＥにＰＵＳＣＨリソースを割り当てたかを示す情報）を接続基地局１００に送信する（ステップ２２２）。また、方法３−１の動作を行う場合、干渉基地局２００は、残りの干渉制御情報（ダイナミック情報）を接続基地局１００に通知する（ステップ２２３）。方法３−２の動作を行う場合、接続基地局１００は、残りの干渉制御情報（ダイナミック情報）を推定する（ステップ１２１）。
【０１２１】
接続基地局１００は、ステップ２２１で受信した干渉制御情報と、ステップ２２２で受信した割り当てＵＥ情報と、ステップ２２３で受信又はステップ１２１で推定した干渉制御情報とを利用してＳＩＣ受信処理を行い（ステップ１０６）、送信データを復号する（ステップ１０７）。
【０１２２】
＜動作例４＞
図２６は、方法４−１、４−２に対応し、複数干渉基地局に関する干渉制御情報のセットをセミスタティックに通知し、実際の干渉発生基地局をダイナミックに通知する場合のシーケンス図である。
【０１２３】
図２６に示すとおり、干渉基地局２００及び他の干渉基地局を含む複数の干渉基地局が接続基地局１００に対してセミスタティックに一部の干渉制御情報を送信する（ステップ２３１）。
【０１２４】
接続ユーザ装置３００が接続基地局１００にスケジューリング要求を送信する（ステップ１０１）ことにより、接続基地局１００は接続ユーザ装置３００のスケジューリング（例：ＰＵＳＣＨの割り当て）を決定し、制御情報（例：ＵＬ  ｇｒａｎｔ）を接続ユーザ装置３００に送信する（ステップ１０３）。これにより接続ユーザ装置３００は送信信号を生成し（ステップ１０４）、所望信号（ＰＵＳＣＨにより送信されるデータ等）を接続基地局１００に送信する（ステップ１０５）。
【０１２５】
干渉基地局２００側でも同様に、干渉ユーザ装置４００が干渉基地局２００にスケジューリング要求を送信する（ステップ２０１）ことにより、干渉基地局２００は干渉ユーザ装置４００のスケジューリング（例：ＰＵＳＣＨの割り当て）を決定し、制御情報（例：ＵＬ  ｇｒａｎｔ）を干渉ユーザ装置４００に送信する（ステップ２０３）。これにより干渉ユーザ装置４００は送信信号を生成し（ステップ２０５）、干渉信号（干渉基地局２００にとっての所望信号）を干渉基地局２００に送信する（ステップ２０６）。当該干渉信号は接続基地局１００に到来する。前述した複数の干渉基地局のうちの１つ又は複数がこのような動作を行う。
【０１２６】
また、干渉基地局２００を含む前述した複数の干渉基地局のそれぞれは、スケジューリング決定の後、自身の配下において接続基地局１００に対する干渉信号が生じているか否かを示すＯＮ／ＯＦＦ情報（例：１ビットで明示的に示してもよいし、干渉信号のダイナミック情報の通知により暗示的に示してもよい）を接続基地局１００に送信する（ステップ２３２）。接続基地局１００に対する干渉信号が生じているか否かについては、例えば、上りリンクのスケジューリングの内容から判断できる（例：セルエッジ付近のＵＥに上り送信を割り当てた場合に干渉発生と判定）。また、方法４−１の動作を行う場合、ステップ２３２でＯＮ情報を送信した干渉基地局（例：干渉基地局２００）は、残りの干渉制御情報（ダイナミック情報）を接続基地局１００に通知する（ステップ２３３）。方法４−２の動作を行う場合、接続基地局１００は、ステップ２３２でＯＮ情報を送信した干渉基地局（例：干渉基地局２００）に関して、残りの干渉制御情報（ダイナミック情報）を推定する（ステップ１３１）。
【０１２７】
接続基地局１００は、ステップ２３１で受信した干渉制御情報と、ステップ２３２で受信したＯＮ／ＯＦＦ情報と、ステップ２３３で受信又はステップ１３１で推定した干渉制御情報とを利用してＳＩＣ受信処理を行い（ステップ１０６）、送信データを復号する（ステップ１０７）。
【０１２８】
以上、説明したように、本実施の形態により、接続基地局と、当該接続基地局に対する干渉信号を送信する干渉ユーザ装置が接続される干渉基地局とを含む無線通信システムにおいて実行される上りリンク干渉低減方法であって、前記干渉基地局が、前記接続基地局において前記干渉信号を低減するために利用される制御情報を前記接続基地局に送信する制御情報送信ステップと、前記接続基地局が、前記制御情報を利用して前記干渉信号を低減し、前記接続基地局に接続されるユーザ装置から送信される所望信号を取得する干渉低減ステップとを備える上りリンク干渉低減方法が提供される。
【０１２９】
上記の構成により、無線通信システムにおける基地局が、干渉セルのユーザ装置から送信される干渉信号に対する干渉低減処理を適切に行うことが可能となる。
【０１３０】
前記制御情報送信ステップにおいて、例えば、前記干渉基地局は、一部の制御情報をセミスタティックに前記接続基地局に送信し、残りの制御情報をダイナミックに前記接続基地局に送信する。この構成により、ダイナミックに通知する情報を削減することができ、処理負荷を低減できる。
【０１３１】
前記制御情報送信ステップにおいて、前記干渉基地局は、一部の制御情報をセミスタティックに前記接続基地局に送信し、前記干渉低減ステップにおいて、前記接続基地局は、残りの制御情報を推定し、前記一部の制御情報と当該残りの制御情報とを利用して前記干渉信号を低減することとしてもよい。この構成により、通知する情報を削減することができ、通知の処理負荷を低減できる。
【０１３２】
前記制御情報送信ステップにおいて、前記干渉基地局は、複数の干渉ユーザ装置に関する制御情報のセットを前記接続基地局に送信し、その後に、当該複数の干渉ユーザ装置のうち、実際に上りリンク送信のリソース割り当てが行われた干渉ユーザ装置の情報を前記接続基地局に送信することとしてもよい。この構成では、予め制御情報を送信しておくので、ダイナミックに送信するべき情報を削減できる。
【０１３３】
前記制御情報送信ステップにおいて、前記干渉基地局及びその他の干渉基地局を含む複数の干渉基地局はそれぞれ、制御情報を前記接続基地局に送信し、その後に、当該複数の干渉基地局はそれぞれ、前記接続基地局に対する上りリンクの干渉が発生するか否かを示す情報を前記接続基地局に送信することとしてもよい。この構成においても、予め制御情報を送信しておくので、ダイナミックに送信するべき情報を削減できる。
【０１３４】
例えば、前記制御情報は、干渉信号のチャネル推定に使用する情報として、復調用参照信号の系列情報を含む。これにより、干渉信号のチャネル推定が可能となり、干渉低減処理のチャネル推定を使用できる。
【０１３５】
前記干渉低減ステップにおいて、前記接続基地局が逐次干渉キャンセルを実行する場合に、前記制御情報は更に前記干渉信号の復調のために必要な情報を含むこととしてもよい。これにより、適切に逐次干渉キャンセルを実行できる。
【０１３６】
前記干渉信号が、ＰＵＳＣＨで送信される信号である場合に、前記制御情報送信ステップにおいて前記干渉基地局から前記接続基地局に送信される制御情報には、ＵＣＩがＰＵＳＣＨに多重されているか否かを示す情報が含まれることとしてもよい。この構成により、ＵＣＩ多重を考慮した高精度の干渉キャンセルを実施できる。
【０１３７】
本実施の形態で説明する各基地局は、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在した構成であってもよい。
【０１３８】
また、本実施の形態で説明する各ユーザ装置は、ＣＰＵとメモリを備え、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在した構成であってもよい。
【０１３９】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目（例）の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。ユーザ装置のプロセッサにより動作するソフトウェア及び基地局のプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【０１４０】
本特許出願は２０１４年１２月５日に出願した日本国特許出願第２０１４−２４７１８９号に基づきその優先権を主張するものであり、日本国特許出願第２０１４−２４７１８９号の全内容を本願に援用する。
【符号の説明】
【０１４１】
１、１００  接続基地局
２、２００  干渉基地局
１０、３００  接続ユーザ装置
１１、４００  干渉ユーザ装置
２１、３１  ＣＰ検出部
２２、３２  ＦＦＴ
４１  チャネル推定部
４２  干渉キャンセラ
５０  第１ステージ：干渉信号検出
５１、６１  信号検出部（ＩＲＣ２）
５２、６２  ＩＤＦＴ
５３  軟判定シンボル推定部
６０  第２ステージ：所望信号検出
６３  ＬＬＲ計算部
６４  チャネルデインタリーバ
６５  ターボデコーダ
１２１  制御情報受信部
１２２  干渉低減処理部
２３１  制御情報生成部
２３２  制御情報送信部
１０１、２０１  スケジューリング情報決定部
１０２、２０２  制御情報共有部
１０３、２０３  有線Ｉ／Ｆ
１０４、２０４  送信データ受信部
１０５、２０５  干渉制御情報推定部
１０６、２０６  干渉制御情報蓄積部
１０７、２０７  ＳＩＣ部
１０８、２０８  受信データ蓄積部
１０９、２０９  無線Ｉ／Ｆ
３０１、４０１  スケジューリング要求部
３０２、４０２  送信制御情報受信部
３０３、４０３  送信データ蓄積部
３０４、４０４  送信信号生成部
３０５、４０５  無線Ｉ／Ｆ
【図１】
2016088719.tif 000003
【図２】
2016088719.tif 000004
【図３】
2016088719.tif 000005
【図４】
2016088719.tif 000006
【図５】
2016088719.tif 000007
【図６Ａ】
2016088719.tif 000008
【図６Ｂ】
2016088719.tif 000009
【図７】
2016088719.tif 000010
【図８】
2016088719.tif 000011
【図９】
2016088719.tif 000012
【図１０Ａ】
2016088719.tif 000013
【図１０Ｂ】
2016088719.tif 000014
【図１１】
2016088719.tif 000015
【図１２】
2016088719.tif 000016
【図１３】
2016088719.tif 000017
【図１４】
2016088719.tif 000018
【図１５】
2016088719.tif 000019
【図１６】
2016088719.tif 000020
【図１７】
2016088719.tif 000021
【図１８】
2016088719.tif 000022
【図１９】
2016088719.tif 000023
【図２０】
2016088719.tif 000024
【図２１】
2016088719.tif 000025
【図２２】
2016088719.tif 000026
【図２３】
2016088719.tif 000027
【図２４】
2016088719.tif 000028
【図２５】
2016088719.tif 000029
【図２６】
2016088719.tif 000030
【国際調査報告】
2016088719.tif 000031
2016088719.tif 000032
2016088719.tif 000033
2016088719.tif 000034